(57)【特許請求の範囲】
【請求項１】
基板に搭載されて用いられるコネクタであって、
金属板上に絶縁層を形成し、前記絶縁層上に複数の導電パターンを形成することで、前記金属板を複数のコンタクトとして機能させる、複数のコンタクト体と、
金属板によって形成され、前記複数のコンタクト体を取り囲む外枠体と、
を備え、
前記複数のコンタクト体と前記外枠体は、別体として形成されており、
各コンタクト体は、複数の片持ち梁を有し、前記複数の導電パターンは、前記複数の片持ち梁に夫々形成されており、
各コンタクト体の前記複数の片持ち梁は、千鳥配列されており、
前記複数のコンタクト体は、前記複数の片持ち梁が並べられるピッチ方向に対して直交するピッチ直交方向に並べて配置されており、
前記ピッチ直交方向で隣り合う２つの前記コンタクト体の前記複数の片持ち梁は、前記ピッチ方向において重複している、
コネクタ。
【請求項２】
請求項１に記載のコネクタであって、
前記複数のコンタクト体と前記外枠体には、両者を位置決めする嵌合部がある、
コネクタ。
【請求項３】
請求項２に記載のコネクタであって、
前記嵌合部は係止部である、
コネクタ。
【請求項４】
請求項１〜３の何れかに記載のコネクタであって、
前記外枠体は、相手側コネクタのコンタクト体が枠内部に挿入可能な開口部を持ち、その挿入方向において各コンタクト体の前記複数の片持ち梁の少なくとも一部を覆っている、
コネクタ。
【発明の詳細な説明】
【技術分野】
【０００１】
本発明は、コネクタに関する。
【背景技術】
【０００２】
この種の技術として、特許文献１は、本願の図１７に示すように、所定のピッチ方向に複数の開口部１００が形成された基材１０１と、基材１０１に配設された絶縁層１０２と、絶縁層１０２上でかつ開口部１００間に形成された接触部１０３と、接触部１０３に配設した導体部１０４と、を有し、接触部１０３が略U字状に形成されており、導体部１０４を相手コネクタと接触する接点部としたコネクタ１０５を開示している。
【先行技術文献】
【特許文献】
【０００３】
【特許文献１】特開２００６−２２８６１２号公報
【発明の概要】
【発明が解決しようとする課題】
【０００４】
しかし、特許文献１の構成では、相手コネクタに対して接点部となる導体部１０４が外部に露出しているので、コネクタ嵌合時に破損する虞がある。
【０００５】
本願発明の目的は、コネクタ嵌合時に破損し難いコネクタを提供することにある。
【課題を解決するための手段】
【０００６】
本願発明の観点によれば、基板に搭載されて用いられるコネクタであって、金属板上に絶縁層を形成し、前記絶縁層上に複数の導電パターンを形成することで、前記金属板を複数のコンタクトとして機能させるコンタクト体と、金属板によって形成され、前記コンタクト体を取り囲む外枠体と、を備え、前記コンタクト体と前記外枠体は、別体として形成されている、コネクタが提供される。
好ましくは、前記コンタクト体と前記外枠体は、両者を位置決めする嵌合部がある。
好ましくは、前記嵌合部は係止部である。
好ましくは、前記コンタクト体は、複数の片持ち梁を有し、前記複数の導電パターンは、前記複数の片持ち梁に夫々形成されている。
好ましくは、前記外枠体には、相手側コネクタのコンタクト体が枠内部に挿入可能な開口部を持ち、その挿入方向において前記コンタクト体の弾性変形部の少なくとも一部を覆っており、前記弾性変形部は、前記複数の片持ち梁である。
好ましくは、前記コンタクト体を複数で備える。
好ましくは、各コンタクト体の前記複数の片持ち梁は、千鳥配列されている。
【発明の効果】
【０００７】
本願発明によれば、前記コンタクト体が前記外枠体に取り囲まれているので、コネクタ嵌合時に、前記コンタクト体が破損し難い。また、前記外枠体と前記コンタクト体が別体として形成されているので、前記外枠体と前記コンタクト体が一体的に形成される場合と比較して、設計の自由度が高くなる。
【図面の簡単な説明】
【０００８】
【図１】図1は、嵌合状態のコネクタユニットの斜視図である。（第１実施形態）
【図２】図2は、嵌合前のコネクタユニットの斜視図である。（第１実施形態）
【図３】図3は、プラグ側基板に実装されたプラグコネクタの斜視図である。（第１実施形態）
【図４】図4は、レセプタクルコネクタの分解斜視図である。（第１実施形態）
【図５】図5は、レセプタクルコネクタの外枠体の斜視図である。（第１実施形態）
【図６】図6は、レセプタクルコネクタの外枠体の別の角度から見た斜視図である。（第１実施形態）
【図７】図7は、コンタクト体の斜視図である。（第１実施形態）
【図８】図8は、コンタクト体の別の角度から見た斜視図である。（第１実施形態）
【図９】図9は、コンタクト体の正面図である。（第１実施形態）
【図１０】図10は、レセプタクルコネクタの斜視図である。（第２実施形態）
【図１１】図11は、レセプタクルコネクタの正面図である。（第２実施形態）
【図１２】図12は、レセプタクルコネクタの斜視図である。（第３実施形態）
【図１３】図13は、コンタクト体の斜視図である。（第３実施形態）
【図１４】図14は、コンタクト体の別の角度から見た斜視図である。（第３実施形態）
【図１５】図15は、２つ並べられたコンタクト体の平面図である。（第３実施形態）
【図１６】図16は、図１５のA部拡大図である。（第３実施形態）
【図１７】図17は、特許文献１の図１に相当する図である。
【発明を実施するための形態】
【０００９】
（第１実施形態）
図１〜図９を参照して、本願発明の第１実施形態を説明する。
【００１０】
（コネクタユニット１）
図１及び図２に示すように、コネクタユニット１（基板対基板コネクタ）は、レセプタクル側基板２（基板、第１基板）に搭載されて用いられるレセプタクルコネクタ３（コネクタ、第１コネクタ、第１ハウジングレスコネクタ）と、プラグ側基板４（第２基板、図３を併せて参照）に搭載されて用いられるプラグコネクタ５（相手側コネクタ、第２コネクタ、第２ハウジングレスコネクタ）と、によって構成されており、プラグコネクタ５をレセプタクルコネクタ３に嵌合させることでレセプタクル側基板２とプラグ側基板４とを電気的に接続するものである。
【００１１】
（レセプタクルコネクタ３）
図４に示すように、レセプタクルコネクタ３は、コンタクト体６と、外枠体７と、を備えて構成されている。コンタクト体６と外枠体７は、別体として形成されている。即ち、コンタクト体６と外枠体７は、夫々互いに切り離された状態で形成され、その後の工程で一体化される。図４に示すようにコンタクト体６は、複数の片持ち梁M8（弾性変形部）を有している。図２及び図４に示すように、複数の片持ち梁M8は、レセプタクル側基板２のコネクタ搭載面２ａの面方向に沿って２列に並んでいる。
【００１２】
ここで、図２を参照して、「ピッチ方向」、「ピッチ直交方向」、「高さ方向」を定義する。「ピッチ方向」とは、レセプタクル側基板２のコネクタ搭載面２ａの面方向に含まれる方向であって、多数の片持ち梁M8が並べられている方向を意味する。「ピッチ方向」は、「ピッチ中央方向」と「ピッチ反中央方向」を含む。「ピッチ中央方向」は、コネクタユニット１（レセプタクルコネクタ３）の中央に近づく方向である。「ピッチ反中央方向」は、コネクタユニット１（レセプタクルコネクタ３）の中央から離れる方向である。「ピッチ直交方向」とは、レセプタクル側基板２のコネクタ搭載面２ａの面方向に含まれる方向であって、ピッチ方向に対して直交する方向である。「ピッチ直交方向」は、「ピッチ直交中央方向」と「ピッチ直交反中央方向」を含む。「ピッチ直交中央方向」は、コネクタユニット１（レセプタクルコネクタ３）の中央に近づく方向である。「ピッチ直交反中央方向」は、コネクタユニット１（レセプタクルコネクタ３）の中央から離れる方向である。「高さ方向」とは、レセプタクル側基板２のコネクタ搭載面２ａに対して直交する方向である。「高さ方向」は、「基板近接方向」と「基板離間方向」を含む。「基板近接方向」は、レセプタクル側基板２のコネクタ搭載面２ａに近づく方向である。「基板離間方向」は、レセプタクル側基板２のコネクタ搭載面２ａから離れる方向である。なお、これら「ピッチ方向」「ピッチ直交方向」「高さ方向」等は、プラグコネクタ５に対してもそのまま適用されるものとする。
【００１３】
（外枠体７）
図５及び図６に示すように、外枠体７は、金属板を板金折り曲げ加工することにより形成されており、天板９と、一対のピッチ方向側側板１０と、一対のピッチ直交方向側側板１１と、によって構成されている。
【００１４】
天板９は、コンタクト体６を挟んでレセプタクル側基板２と反対側に、レセプタクル側基板２に対して略平行となるように配置されている。天板９には、プラグコネクタ５が挿入される挿入開口１２（開口部）が形成されている。換言すれば、天板９は、挿入開口１２を取り囲むように形成されている。挿入開口１２は、ピッチ方向に細長く形成されている。天板９は、挿入開口１２を取り囲む切れ目のない周縁１３を有している。
【００１５】
一対のピッチ方向側側板１０は、天板９のピッチ方向の端部に接続し、基板近接方向に延びて形成されている。各ピッチ方向側側板１０は、天板９（レセプタクル側基板２）に対して略直交している。そして、各ピッチ方向側側板１０の基板近接方向の端部には、ホールドダウン１４が形成されている。各ホールドダウン１４は、各ピッチ方向側側板１０の基板近接方向の端部をピッチ中央方向に折り曲げることで形成されている。各ホールドダウン１４は、レセプタクル側基板２に対して略平行である。図６に示すように、各ホールドダウン１４には、コンタクト体６を取り付けるための取り付け窪み部１５（嵌合部）が形成されている。
【００１６】
一対のピッチ直交方向側側板１１は、天板９のピッチ直交方向の端部に接続し、基板近接方向に延びて形成されている。各ピッチ直交方向側側板１１は、天板９（レセプタクル側基板２）に対して略直交している。
【００１７】
（コンタクト体６）
図７に示すように、コンタクト体６は、金属板M上に絶縁層Iを形成し、絶縁層I上に複数の導電パターンｃを形成することで、金属板Mを複数のコンタクトとして機能させている。図７及び図８に示すように、コンタクト体６の金属板Mは、本体部M16と、前述した複数の片持ち梁M8と、一対の取り付け部M17（嵌合部）と、を有して構成されている。
【００１８】
本体部M16は、複数の片持ち梁M8を支持するものである。本体部M16は、レセプタクル側基板２に対して略平行であって、ピッチ方向に細長く形成されている。
【００１９】
複数の片持ち梁M8は、本体部M16をピッチ直交方向で挟むように２列で配置されている。各片持ち梁M8は、図９に示すように、固定端から自由端に向かって順に、水平部M30、第１湾曲部M31、傾斜部M32、第２湾曲部M33、折り返し部M34によって構成されている。水平部M30は、本体部M16のピッチ直交方向の端部に接続し、ピッチ直交方向に対して略平行であって若干基板離間方向に傾斜して延びる部分である。第１湾曲部M31は、水平部M30に接続し、基板離間方向、ピッチ直交中央方向の順に湾曲する部分である。傾斜部M32は、第１湾曲部M31に接続し、ピッチ直交中央方向に対して略平行であって若干基板離間方向に傾斜して延びる部分である。第２湾曲部M33は、傾斜部M32に接続し、基板近接方向に湾曲する部分である。折り返し部M34は、第２湾曲部M33に接続し、ピッチ直交反中央方向及び基板近接方向に延び、片持ち梁M8の自由端に相当する部分である。
【００２０】
図８に示す一対の取り付け部M17は、コンタクト体６を外枠体７に取り付けるための部分である。
【００２１】
コンタクト体６の絶縁層Iは、金属板Mのレセプタクル側基板２側の面である基板対向面Maを含む片面全体に形成されている。絶縁層Iは、例えばポリイミドやアラミドによって形成される。また、これに代えて、絶縁層Iを金属板M自体の酸化膜として形成してもよい。
【００２２】
以上の構成の金属板Mの絶縁層I上には、前述したように、複数の導電パターンｃが形成されている。各導電パターンｃは、図７及び図８に示すように、各片持ち梁M8と本体部M16に跨るように形成されている。即ち、導電パターンｃの本数と片持ち梁M8の本数は同じである。図８に示すように、本体部M16のレセプタクル側基板２側の面M16a（基板対向面Maの一部）には、レセプタクル側基板２側へ膨らみ出る膨出部１８が複数、形成されている。複数の膨出部１８は、千鳥配置されている。そして、各導電パターンｃは、各膨出部１８に対して重複して形成され、もって、各導電パターンｃ自体がレセプタクル側基板２側へ若干膨らみ出るようになっている。
【００２３】
以上の如く、本実施形態においてレセプタクルコネクタ３は、樹脂製のハウジングを有さない所謂ハウジングレスコネクタとして構成されている。
【００２４】
（プラグコネクタ５）
次に、図２及び図３を参照して、プラグコネクタ５を説明する。図２に示すプラグコネクタ５は、金属板M上に絶縁層Iを形成し、絶縁層I上に複数の導電パターンｅを形成することで、金属板Mを複数のコンタクトとして機能させている。
【００２５】
図３に示すように、プラグコネクタ５の金属板Mは、本体部M40と、一対のホールドダウン部M41と、コンタクト部M42（コンタクト体）と、を有して構成されている。
【００２６】
本体部M40は、コンタクト部M42を支持するものである。本体部M40は、プラグ側基板４に対して略平行であって、ピッチ方向に細長く形成されている。
【００２７】
各ホールドダウン部M41は、本体部M40をプラグ側基板４にハンダ付けするための部分である。各ホールドダウン部M41は、本体部M40のピッチ方向の両端部に形成されている。
【００２８】
コンタクト部M42は、ピッチ方向で見て略渦巻き状に形成されており、第１コンタクト部M50、挿入先端部M51、第２コンタクト部M52、折り返し部M53によって構成されている。第１コンタクト部M50は、本体部M40のピッチ直交方向の端部に接続し、基板近接方向に延びて形成されている。挿入先端部M51は、第１コンタクト部M50に接続し、ピッチ直交方向に延びて形成されている。第２コンタクト部M52は、挿入先端部M51に接続し、基板離間方向に延びて形成されている。折り返し部M53は、第２コンタクト部M52に接続し、ピッチ直交方向に延びて形成されている。
【００２９】
図２に示すように、プラグコネクタ５の絶縁層Iは、金属板Mのプラグ側基板４側の面である基板対向面Maを含む片面全体に形成されている。絶縁層Iは、例えばポリイミドやアラミドによって形成される。また、これに代えて、絶縁層Iを金属板M自体の酸化膜として形成してもよい。
【００３０】
以上の構成の金属板Mの絶縁層I上には、複数の導電パターンｅが形成されている。図３に示すように、複数の導電パターンｅは、複数の第１導電パターンｅ１と、複数の第２導電パターンｅ２と、を含む。第１導電パターンｅ１と第２導電パターンｅ２は、ピッチ方向において交互に形成されている。第１導電パターンｅ１は、本体部M40と第１コンタクト部M50、挿入先端部M51に跨るように形成されている。第１導電パターンｅ１は、第１コンタクト部M50において幅広に形成されている。第２導電パターンｅ２は、本体部M40と第１コンタクト部M50、挿入先端部M51、第２コンタクト部M52に跨るように形成されている。第２導電パターンｅ２は、第２コンタクト部M52において幅広に形成されている。そして、図２に示すように、本体部M40のプラグ側基板４側の面M40a（基板対向面Maの一部）には、プラグ側基板４側へ膨らみ出る膨出部６０が複数、形成されている。複数の膨出部６０は、千鳥配置されている。そして、各導電パターンｅは、各膨出部６０に対して重複して形成され、もって、各導電パターンｅ自体がプラグ側基板４側へ膨らみ出るようになっている。
【００３１】
以上の如く、本実施形態においてプラグコネクタ５は、上記レセプタクルコネクタ３と同様、樹脂製のハウジングを有さない所謂ハウジングレスコネクタとして構成されている。
【００３２】
（作動）
次に、コネクタユニット１の作動を説明する。
【００３３】
先ず、コンタクト体６と外枠体７を別体として形成した上で、図６に示す外枠体７の各取り付け窪み部１５に、図８に示すコンタクト体６の各取り付け部M17を取り付けて、コンタクト体６と外枠体７を一体化させてレセプタクルコネクタ３を形成する。各取り付け窪み部１５と各取り付け部M17の存在により、コンタクト体６と外枠体７は位置決めされる。また、図２及び図４を比較してわかるように、外枠体７には、プラグコネクタ５（相手側コネクタ）のコンタクト部M42（コンタクト体）が枠内部に挿入可能な挿入開口１２（開口部）を持ち、その挿入方向において前記コンタクト体６の片持ち梁M8（弾性変形部）の少なくとも一部を覆っている。
【００３４】
次に、図６に示すレセプタクルコネクタ３の外枠体７のホールドダウン１４を、レセプタクル側基板２の図示しないホールドダウン用パッドにハンダ付けする。このとき、図８に示すレセプタクルコネクタ３のコンタクト体６の各導電パターンｃのうち膨出部１８によってレセプタクル側基板２側に膨らみ出た部分を、レセプタクル側基板２のコネクタ搭載面２ａの図示しない電極パッドにハンダ付けする。
【００３５】
同様に、図３に示すプラグコネクタ５のホールドダウン部M41を、プラグ側基板４の図示しないホールドダウン用パッドにハンダ付けする。このとき、図２に示すプラグコネクタ５の各導電パターンｅのうち膨出部６０によってプラグ側基板４側に膨らみ出た部分を、プラグ側基板４のコネクタ搭載面４ａ（図３を併せて参照）の図示しない電極パッドにハンダ付けする。
【００３６】
後は、図３に示すプラグコネクタ５のコンタクト部M42を、図５に示す外枠体７の天板９の挿入開口１２に挿入すればよい。この挿入により、図３に示すプラグコネクタ５のコンタクト部M42は、図７に示すコンタクト体６の各片持ち梁M8を押し広げると共に、各片持ち梁M8の自己弾性復元力により、レセプタクルコネクタ３の各導電パターンｃが、プラグコネクタ５の各導電パターンｅと電気的に接触することになる。
【００３７】
以上に、本願発明の好適な第１実施形態を説明したが、上記第１実施形態は、以下の特長を有している。
【００３８】
即ち、レセプタクルコネクタ３（コネクタ）は、金属板M上に絶縁層Iを形成し、絶縁層I上に複数の導電パターンｃを形成することで、金属板Mを複数のコンタクトとして機能させるコンタクト体６と、コンタクト体６を取り囲む外枠体７と、を備え、レセプタクル側基板２（基板）に搭載されて用いられる。コンタクト体６と外枠体７は、別体として形成されている。以上の構成によれば、コンタクト体６が外枠体７に取り囲まれているので、コネクタ嵌合時に、コンタクト体６が破損し難い。また、外枠体７とコンタクト体６が別体として形成されているので、外枠体７とコンタクト体６が一体的に形成される場合と比較して、設計の自由度が高くなる。
【００３９】
また、コンタクト体６は、複数の片持ち梁M8を有する。複数の導電パターンｃは、複数の片持ち梁M8に夫々形成されている。即ち、片持ち梁M8は破損し易いので、以上の構成によれば、コンタクト体６が外枠体７に取り囲まれる構成の技術的意義が一層明らかとなる。
【００４０】
以上に本願発明の第１実施形態を説明したが、第１実施形態は、以下のように変更できる。
【００４１】
外枠体７は、金属製に代えて樹脂製でもよい。
【００４２】
コンタクト体６の取り付け部M17が位置決め用の嵌合部として機能すると共に、樹脂製の外枠体７を係止する係止部として機能するようにしてもよい。
【００４３】
（第２実施形態）
次に、図１０〜図１１を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００４４】
図４に示すように、上記第１実施形態においてレセプタクルコネクタ３は、１つのコンタクト体６を備えている。これに対し、本実施形態においてレセプタクルコネクタ３は、図１０及び図１１に示すように、２つのコンタクト体６を備えている。図１１に示すように、２つのコンタクト体６は、ピッチ直交方向に並べて配置されている。そして、レセプタクルコネクタ３の外枠体７の天板９には、２つの挿入開口１２が形成されている。各挿入開口１２は、各コンタクト体６に対応している。図１１に示すように、２つのコンタクト体６の間には、２つのコンタクト体６を仕切る絶縁壁などは形成されておらず、２つのコンタクト体６は直接的に対向している。
【００４５】
このように、レセプタクルコネクタ３は、コンタクト体６を複数備えることで、容易に多ピン化を実現することができる。
【００４６】
（第３実施形態）
次に、図１２〜図１６を参照しつつ、本願発明の第３実施形態を説明する。ここでは、本実施形態が上記第２実施形態と異なる点を中心に説明し、重複する説明は適宜省略する。また、上記第２実施形態の各構成要素に対応する構成要素には原則として同一の符号を付すこととする。
【００４７】
図１２に示すように、本実施形態においてレセプタクルコネクタ３は、第２実施形態と同様、２つのコンタクト体６を備えている。
【００４８】
図１３及び図１４に示すように、各コンタクト体６の複数の片持ち梁M8は、平面視で千鳥配置されている。そして、本体部M16を挟んで各片持ち梁M8と反対側には、基板接続部M70が形成されている。基板接続部M70は、本体部M16に接続し、対応する片持ち梁M8から離れる方向へ延びて形成されている。そして、各導電パターンｃは、片持ち梁M8と本体部M16、基板接続部M70に跨るように形成されている。
【００４９】
このように、各コンタクト体６において片持ち梁M8を千鳥配置することで、図１５及び図１６に示すように、各片持ち梁M8のピッチ方向における幅Wを、上記第１実施形態や第２実施形態と比較して、大きく確保することが可能となっている。従って、各片持ち梁M8の断面二次モーメントを大きく確保することができ、もって、片持ち梁M8の強力な自己弾性復元力が得られ、接続信頼性の向上に寄与する。
【００５０】
また、各コンタクト体６において片持ち梁M8を千鳥配置することで、図１５及び図１６に示すように、ピッチ方向において隣り合う一対の片持ち梁M8間の距離Dが大きく確保されている。従って、一方のコンタクト体６の片持ち梁M8と、他方のコンタクト体６の片持ち梁M8と、をピッチ方向で若干重複するように、一方のコンタクト体６と他方のコンタクト体６を近づけて密に配置することが可能となっており、もって、レセプタクルコネクタ３の小型化に寄与している。
【符号の説明】
【００５１】
１  コネクタユニット
２  レセプタクル側基板（基板）
２ａ  コネクタ搭載面
３  レセプタクルコネクタ（コネクタ）
４  プラグ側基板
４ａ  コネクタ搭載面
５  プラグコネクタ（相手側コネクタ）
６  コンタクト体
７  外枠体
９  天板
１０  ピッチ方向側側板
１１  ピッチ直交方向側側板
１２  挿入開口（開口部）
１３  周縁
１４  ホールドダウン
１５  取り付け窪み部（嵌合部）
１８  膨出部
６０  膨出部
I  絶縁層
M  金属板
Ma  基板対向面
M8  片持ち梁（弾性変形部）
M16  本体部
M16a  面
M17  取り付け部（嵌合部）
M30  水平部
M31  第１湾曲部
M32  傾斜部
M33  第２湾曲部
M34  折り返し部
M40  本体部
M40a  面
M41  ホールドダウン部
M42  コンタクト部（コンタクト体）
M50  第１コンタクト部
M51  挿入先端部
M52  第２コンタクト部
M53  折り返し部
M70  基板接続部
ｃ  導電パターン
ｅ  導電パターン
ｅ１  第１導電パターン
ｅ２  第２導電パターン
D  距離
W  幅
【図１】
0005845080.tif 000002
【図２】
0005845080.tif 000003
【図３】
0005845080.tif 000004
【図４】
0005845080.tif 000005
【図５】
0005845080.tif 000006
【図６】
0005845080.tif 000007
【図７】
0005845080.tif 000008
【図８】
0005845080.tif 000009
【図９】
0005845080.tif 000010
【図１０】
0005845080.tif 000011
【図１１】
0005845080.tif 000012
【図１２】
0005845080.tif 000013
【図１３】
0005845080.tif 000014
【図１４】
0005845080.tif 000015
【図１５】
0005845080.tif 000016
【図１６】
0005845080.tif 000017
【図１７】
0005845080.tif 000018